(57)【要約】【課題】イジェクタによる空気混入で洗浄感を高めるとともに、使用者の好みに応じて洗浄感を変更することができるようにする。【解決手段】先端に噴出孔１２を有し人体の局部に洗浄水を噴出するノズル装置１１と、イジェクタノズル１６と、そのジェット噴流により空気を混入する空気混入部１８と、空気混入部１８と大気を連通させる空気孔１７ａ，１７ｂと、イジェクタノズル１６とほぼ同心で噴出孔１２に連通する導入部２１と、空気孔１７ａ及び１７ｂを断続開閉する振動子１９と、ノズル装置１１の振動パターンを制御する制御装置２６とを設け、振動パターンを可変することによって、イジェクタ効果により混入させる空気量及び洗浄水流形状を可変することができる。【選択図】図１
2005180078.tif 000002
【特許請求の範囲】
【請求項１】
先端に噴出孔を有し、人体の局部に洗浄水を噴出するノズル装置と、前記ノズル装置に設けたイジェクタノズルと、前記イジェクタノズルからのジェット噴流により空気を混入する空気混入部と、前記空気混入部と大気を連通させる空気孔と、前記イジェクタノズルとほぼ同心で前記噴出孔に連通する導入部と、前記ノズル装置を振動させる振動手段と、前記振動手段の動作により生じる振動によって前記空気孔を断続開閉する振動子と、前記振動手段の振動パターンを制御する制御装置とを設け、前記空気孔を所定の開閉パターンで開閉してなる温水洗浄便座。
【請求項２】
制御装置は、振動手段の動作により生じる振動の振幅を可変してなる請求項１に記載の温水洗浄便座。
【請求項３】
制御装置は、振動手段の動作により生じる振動の周期を可変してなる請求項１に記載の温水洗浄便座。
【請求項４】
制御装置は、振動手段の動作により生じる振動の往側速度と帰側速度を可変してなる請求項１に記載の温水洗浄便座。
【発明の詳細な説明】
【技術分野】
【０００１】
本発明は、人体局部の洗浄を快適におこなうことができる温水洗浄便座に関するものである。
【背景技術】
【０００２】
従来この種の温水洗浄便座としては、例えばイジェクタ式ノズルによりイジェクタ効果を利用して洗浄水中に空気を混入し、洗浄感を高めているものがあった（特許文献１参照）。図６において、水ノズル１と水ノズル１とほぼ同心で水ノズル１より大きな径を持つガスノズル２からなる空気混入部とガスノズル２に連結された洗浄水の吐水口４を持つ吐水部３より構成されていた。
【０００３】
空気混入部の水ノズル１で洗浄水の流速が上昇し、大気中に噴出される。大気中に噴出された洗浄水は、空気混入部のガスノズル２に入り大量の空気が混入され、吐水部３の吐水口４より吐水される。
【０００４】
そして、洗浄水中に大量の空気を混入することにより、少ない洗浄水でも洗浄感を高めることができ、家庭用電源での即温化が可能となる構成となっていた。
【特許文献１】特開平１１−３５０５６７号公報
【発明の開示】
【発明が解決しようとする課題】
【０００５】
しかしながら、前記従来の構成では、空気混入された洗浄水しか噴出することができず、使用者の好みに応じて洗浄感を変更することができないという課題を有していた。
【０００６】
本発明は、上記従来の課題を解決するもので、イジェクタによる空気混入でありながら洗浄水中に混入する空気量を可変させ、使用者の好みに応じて洗浄感を変更することができる温水洗浄便座の提供を目的とする。
【課題を解決するための手段】
【０００７】
前記従来の課題を解決するために、本発明の温水洗浄便座は、ノズル装置を振動させる振動手段と、その振動手段の動作により生じる振動によって空気混入部の空気孔を断続開閉する振動子と、振動手段の振動パターンを可変する制御装置を設けたものである。この振動パターンの制御によって、イジェクタ効果により混入させる空気量及び被洗浄面積等を可変することができ、簡単な構成で使用者の好みに応じた洗浄水流を実現できるものである。
【発明の効果】
【０００８】
本発明の温水洗浄便座によれば、振動パターンを制御する制御装置を設けることによって、イジェクタ効果により混入させる空気量を可変するとともに洗浄水流形状を可変することができ、簡単な構成で使用者の好みに応じた洗浄水流を実現できる。
【発明を実施するための最良の形態】
【０００９】
第１の発明は、先端に噴出孔を有し、人体の局部に洗浄水を噴出するノズル装置と、ノズル装置に設けたイジェクタノズルと、イジェクタノズルからのジェット噴流により空気を混入する空気混入部と、空気混入部と大気を連通させる空気孔と、イジェクタノズルとほぼ同心で前記噴出孔に連通する導入部と、ノズル装置を振動させる振動手段と、振動手段の動作により生じる振動によって空気孔を断続開閉する振動子と、振動手段の振動パターンを制御する制御装置とを設け、空気孔を所定の開閉パターンで開閉することにより、振動の種類により空気混入量や被洗浄面積等が異なり、洗浄感を可変することができる。
【００１０】
第２の発明は、特に請求項１に記載の制御装置により振動の振幅を可変する構成とすることにより、被洗浄面積を可変することができる。
【００１１】
第３の発明は、特に請求項１に記載の制御装置により振動の周期を可変する構成とすることにより、空気混入量を可変することができるものである。
【００１２】
第４の発明は、特に請求項１に記載の制御装置により振動の往側速度と帰側速度を可変する構成とすることにより、マッサージ効果を奏するものである。
【００１３】
以下、本発明の実施の形態について図面を参照しながら説明する。なお、本実施の形態によって本発明が限定されるものではない。
【００１４】
（実施の形態１）
図１は、本発明の第１の実施における温水洗浄便座のノズル部を示す一部断面側面図である。
【００１５】
図１において、ノズル装置１１はその先端に噴出穴１２を有し人体の局部に洗浄水を噴出する構成となっている。ノズル装置１１の後端には洗浄流量を調節する流量調節弁１３とその駆動を行なう弁モータ１４が設けられ、給水部（図示せず）からの水をノズル装置１１の内部流路１５に導いている。
【００１６】
内部流路１５の先端にはイジェクタノズル１６が構成され、下面に空気孔１７ａ及び空気孔１７ｂをもつ空気混入部１８がそのイジェクタノズル１６の開放端に設けられている。空気混入部１８の内部には振動子１９があり、振動子１９に設けられた貫通穴２０を通してイジェクタノズル１６からのジェット噴流（図示せず）がほぼ同心に構成された導入部２１に達し、噴出孔１２に連通する構成となっている。
【００１７】
また、ノズル装置１１は、マウント２２の傾斜溝２３に挿入され、その下面に設けられたラックギア２４が駆動モータ２５ａ及ピニオンギア２５ｂと噛合うことにより傾斜溝２３に沿って軸方向に駆動できるように構成されている。つまり、マウント２２の傾斜溝２３と、ラックギア２４、駆動モータ２５ａ及ピニオンギア２５ｂにより、ノズル装置１１を突出収納させる駆動手段を構成しており、駆動モータ２５ａの電源回路及び正逆転切換え回路やそれに信号を出すマイコンを内臓した制御装置２６によりノズル装置１１の噴出孔１２を待機位置から洗浄位置まで突出収納駆動させることができる。
【００１８】
さらに、制御装置２６により駆動モータ２５ａを小刻みに正転・逆転を繰り返すように駆動させることにより、この駆動手段は、待機位置から洗浄位置までの任意の位置でノズル装置１１を軸方向に振動させる振動手段を構成している。この振動手段の動作に伴って、振動子１９を空気混入部１８の内部で振動させることができる。
【００１９】
図２は同実施の形態の温水洗浄便座のノズル装置要部断面図である。図２（ａ）は振動子が空気混入部の前方に位置した状態を示す図であり、図２（ｂ）は振動子が空気混入部の後方に位置した状態を示す図である。
【００２０】
振動子１９には、その外周と貫通孔２０を連通する第２の空気孔２７が設けられており、振動子１９が空気混入部１８の前方に位置している状態、図２（ａ）のとき第２の空気孔２７と空気孔１７ａの内口２８ａが連通し、振動子１９が空気混入部１８の後方に位置している状態、図２（ｂ）のとき第２の空気孔２７と空気孔１７ｂの内口２８ｂが連通し、振動子１９が図２（ａ）と図２（ｂ）の中間を移動しているとき振動子１９が空気孔１７ａ及び空気孔１７ｂを閉塞する構成となっている。
【００２１】
この構成において、振動手段が動作していないとき、振動子１９は重力により空気混入部１８の前方に位置し、イジェクタノズル１６からのジェット噴流（図示せず）の巻き込み作用により連通している空気孔１７ａから連続して空気が混入される。一方、振動手段が動作しているとき、振動子１９が空気混入部１８の中で前方位置、図２（ａ）と後方位置、図２（ｂ）間を振動することにより空気孔１７ａ及び空気孔１７ｂが断続開閉され、空気混入部１８へは断続的に空気が混入される。
【００２２】
図３は同実施の形態の温水洗浄便座のノズル振動パターン図及び洗浄水流形状図である。図３（ａ）は制御装置２６により駆動モータ２５ａの動作が制御され振動の振幅が小さい場合のノズル振動パターン図及び洗浄水流形状図であり、図３（ｂ）は振動の振幅が大きい場合のノズル振動パターン図及び洗浄水流形状図である。
【００２３】
振動振幅が大きくなることにより、水流中心位置の振れ幅が大きくなるとともに、振動子１９の移動速度が速く第２の空気孔２７が閉塞される時間が短くなり、空気混入量が増大することにより、洗浄水流径も大きくなる。制御装置２６により振動の振幅を可変することにより、被洗浄面積を可変することができる。
【００２４】
（実施の形態２）
図４は本発明の第２の実施の形態における温水洗浄便座のノズル振動パターン図及び洗浄水流形状図である。図４（ａ）は制御装置２６により駆動モータ２５ａの動作が制御され振動の周期が大きい場合のノズル振動パターン図及び洗浄水流形状図であり、図４（ｂ）は振動の周期が小さい場合のノズル振動パターン図及び洗浄水流形状図である。
【００２５】
振動周期が小さくなることにより、水流中心位置の振れ幅は変化しないが、振動子１９の移動速度が速くなり第２の空気孔２７が閉塞される時間が短くなる。これにより空気混入量が増大し洗浄水流径が大きくなるとともに、洗浄の泡沫感が増大しマイルドになる。制御装置２６により振動周期を可変することにより、洗浄感を可変することができる。
【００２６】
（実施の形態３）
図４は本発明の第３の実施の形態における温水洗浄便座のノズル振動パターン図及び洗浄水流形状図である。図４（ａ）は制御装置２６により駆動モータ２５ａの動作が制御され振動の往側速度が小さく帰側速度が大きい場合のノズル振動パターン図及び洗浄水流形状図であり、図４（ｂ）は振動の往側速度が大きく帰側速度が小さい場合のノズル振動パターン図及び洗浄水流形状図である。
【００２７】
振動子１９の移動速度が速い場合、第２の空気孔２７が閉塞される時間が短くなることにより空気混入量が増大し、一方、振動子１９の移動速度が遅い場合、第２の空気孔２７が閉塞される時間が長くなることにより空気混入量が減少する。これにより洗浄水流形状の対称性は失われ、制御装置２６により振動の往側速度と帰側速度を可変するとともに、図５（ａ）と図５（ｂ）を交互に繰り返すことにより、極めてマッサージ効果の高い洗浄を実現することができる。
【００２８】
なお、本実施の形態において、振動手段が動作していないとき連続して空気が混入される構成としたが、空気孔１７と第２の空気孔２７の位置関係を調整することにより振動手段が動作していないとき空気が混入されず、振動動作時に断続混入される構成でも洗浄感を可変するという同様の効果を奏するものである。
【産業上の利用可能性】
【００２９】
以上のように本発明は、人体局部の洗浄を快適におこなうことができる温水洗浄便座として有用である。
【図面の簡単な説明】
【００３０】
【図１】本発明の実施の形態１における温水洗浄便座のノズル部を示す一部断面側面図
【図２】（ａ）本発明の実施の形態１における温水洗浄便座の振動子が空気混入部の前方に位置した状態を示すノズル装置要部断面図（ｂ）本発明の実施の形態１における温水洗浄便座の振動子が空気混入部の後方に位置した状態を示すノズル装置要部断面図
【図３】（ａ）本発明の実施の形態１における温水洗浄便座のノズル振動パターン図及び洗浄水流形状図（ｂ）本発明の実施の形態１における温水洗浄便座のノズル振動パターン図及び洗浄水流形状図
【図４】（ａ）本発明の実施の形態２における温水洗浄便座のノズル振動パターン図及び洗浄水流形状図（ｂ）本発明の実施の形態２における温水洗浄便座のノズル振動パターン図及び洗浄水流形状図
【図５】（ａ）本発明の実施の形態３における温水洗浄便座のノズル振動パターン図及び洗浄水流形状図（ｂ）本発明の実施の形態３における温水洗浄便座のノズル振動パターン図及び洗浄水流形状図
【図６】従来の温水洗浄便座のノズル装置断面図
【符号の説明】
【００３１】
１１  ノズル装置
１２  噴出孔
１６  イジェクタノズル
１７ａ  空気孔
１７ｂ  空気孔
１８  空気混入部
１９  振動子
２０  貫通孔
２１  導入部
２２  マウント
２３  傾斜溝
２４  ラックギア
２５ａ  駆動モータ（振動手段）
２６ｂ  ピニオンギア
２７  第２の空気孔
２８ａ  内口
２８ｂ  内口
【図１】
2005180078.tif 000003
【図２】
2005180078.tif 000004
【図３】
2005180078.tif 000005
【図４】
2005180078.tif 000006
【図５】
2005180078.tif 000007
【図６】
2005180078.tif 000008